(57)【特許請求の範囲】
【請求項１】
ブラシ部、摘持式の把持部、櫛部、スライス棒の各部材を同一平面上に備える毛髪化粧料塗布具であって、
先端側から後端側へ向かって前記各部材を前記の順で直列に配設し、ブラシ部のブラシ毛を部材直列方向（Ｌ方向）の先端側方向（Ｌｆ方向）へ向けて植毛し、櫛部の櫛歯をＬ方向に対する略直角方向（Ｔ方向）へ向けて形成し、スライス棒をＬ方向の後端側方向（Ｌｒ方向）へ向けて突出させたことを特徴とする毛髪化粧料塗布具。
【請求項２】
前記毛髪化粧料塗布具が、櫛歯と他部材の位置関係に関して次の（１）及び／又は（２）に該当することを特徴とする請求項１に記載の毛髪化粧料塗布具。
（１）前記スライス棒が前記櫛部の櫛歯の頂端とＴ方向の略同一の高さ位置にある。
（２）前記把持部が前記櫛部の櫛歯の頂端とＴ方向の略同一の高さ位置を超えない。
【請求項３】
前記ブラシ部がブラシ毛を集束して植毛させた複数ないし多数のブラシ毛束を備え、各ブラシ毛束が短毛部と長毛部により形成される段差構造を備えることを特徴とする請求項１又は請求項２に記載の毛髪化粧料塗布具。
【請求項４】
前記各部材を一体的に形成し、又は各部材の一部又は全部を別体に形成して組付け式に連結していることを特徴とする請求項１〜請求項３のいずれかに記載の毛髪化粧料塗布具。
【発明の詳細な説明】
【技術分野】
【０００１】
本発明は、染毛剤等の各種毛髪化粧料を頭髪等の毛髪に塗布するための毛髪化粧料塗布具に関する。以下において、毛髪化粧料塗布具を単に「塗布具」とも言う。本発明の塗布具は、毛髪化粧料のユーザーが自宅で自らの毛髪（頭髪）に毛髪化粧料の塗布を行う、いわゆる「セルフ」の使用の際に、特に好ましく利用されるが、このような利用形態に限定されず、例えば美容師等が顧客に施術する場合等にも好ましく使用することができる。
【背景技術】
【０００２】
毛髪化粧料が、流動性の比較的低いクリーム状やジェル状等の粘液状の剤型である場合、その商品包装には、毛髪化粧料の各剤を充填したチューブ容器と共に、セルフ用の毛髪化粧料塗布具もしばしば収容される。
【０００３】
このような毛髪化粧料塗布具は、通常、ブラシ部、櫛部及び把持部を備え、好ましくは更にスライス棒を備える。ブラシ部は、ブラシ毛に毛髪化粧料を載せて、毛髪に塗布するための部材である。櫛部は、ブラシ部で毛髪に塗布した毛髪化粧料を梳いて毛髪全体に均一に分布させるための部材である。把持部は塗布具を手で持つための部材であり、手で握り持つ握持式の把持部と、手で摘み持つ摘持式の把持部がある。スライス棒は、毛髪を分けて毛髪化粧料を塗布すべき部位を露出させる、いわゆる「ブロッキング」のための部材である。
【０００４】
次に、一般のユーザーがセルフで用いる塗布具は、美容師が美容院等で用いる塗布具とは異なり、毛髪化粧料の商品包装に収容し易い形状、サイズであることが要求されるという制約がある。そのため塗布具を構成する各部材は全体として平坦な薄い板状に（即ち、同一平面上に）形成されることが多い。また、その板状の塗布具のサイズが余りに長くないことも求められる。
【先行技術文献】
【特許文献】
【０００５】
【特許文献１】特開平１０−７１０２０
【特許文献２】特開２００４−１５４４２６
【０００６】
上記の特許文献１及び特許文献２は、刷毛部（ブラシ部）、櫛部及び握板部を同一平面上に備えた染毛用櫛又は染毛用具を開示する。握板部は手で握持できる長さを持つ薄板状のハンドル部である。握板部先端の略左右対称の部位には刷毛部と櫛部をそれぞれ形成している。従って、刷毛部のブラシ毛の植毛方向と、櫛部の櫛歯の突出方向とは、互いにほぼ反対方向である。
【０００７】
なお、特許文献１及び特許文献２のいずれにも、握板部の後端部にスライス部（スライス棒）を一体的に形成し、あるいは着脱可能に備える任意的な実施形態を開示している。
【発明の概要】
【発明が解決しようとする課題】
【０００８】
ところで、セルフ用の塗布具では自らの頭髪を操作の対象とするため、視覚上のハンディキャップは鏡を見ることでカバーできるとしても、以下に述べるように塗布具操作上の制約や面倒が多い。従ってセルフ用の塗布具ではこれらの点を十分に配慮して、操作性に優れた構成とすることが求められる。
【０００９】
例えば、ヒトの手や腕は身体の前面側ではかなり自由に動作できるが、頭部を含む身体の背面側では可動性が大きく制約される。更に、例えばヒトの手首は二の腕に対して大きな屈曲動作を行えるが、二の腕に対する捩じり回転動作はほとんどできない。そこで、ヒトの手首を捩じり方向へ回転させたい場合、通常は、手首を二の腕ごと、あるいは腕ごと捩じり回転させるが、このような捩じり回転は頭部を含む身体の背面側では大きく制約される。
【００１０】
上記特許文献１、２が開示する染毛用櫛（染毛用具）では、手で握持できる長さの握板部を持つので、毛髪化粧料の包装箱に収容するというサイズ上の制約からは、握板部、刷毛部及び櫛部を直列的に形成するという設計の許容度は低い。従って、握板部の先端に刷毛部と櫛部を左右対称に形成し、刷毛部のブラシ毛と櫛部の櫛歯が互いに反対方向に向く構成となっている。
【００１１】
そのため、刷毛部を用いて毛髪化粧料を毛髪に塗布する際と、その毛髪を櫛部を用いて梳く際では、毛髪に対して染毛用櫛を握板部まわりに１８０°反転させる必要がある。前記のように、自らの頭髪に対しする操作において、このような反転を手首の回転動作だけで、又は腕ごと捩じり回転で行うことは簡単ではないから、反転を要する都度、他一方の手も用いて握板部を半回転させ、握り直すという面倒を要求される。
次に、特許文献１、２の染毛用櫛（染毛用具）では、握板部の先端に刷毛部と櫛部とを左右対称に形成しており、しかもセルフの操作中は塗布具が自らの視界外にある。そのため、上記の握り直しを繰返して行う際には鏡で常に視認していないと、塗布具の握り方向を失念したり間違えたりして、毛髪化粧料の塗布操作に支障を来たす恐れがある。
【００１２】
以上の点に加え、毛髪化粧料を塗布する際の一般的問題であるが、塗布具の操作中に毛髪化粧料が手に付着する可能性がある。この可能性はセルフによる毛髪化粧料の塗布の際に特に大きい。
【００１３】
そこで本発明は、使用者の手首の可動性を有効に利用することで優れた操作性が得られ、操作中に毛髪化粧料が手に付着し難い毛髪化粧料塗布具、特に、セルフ用の毛髪化粧料塗布具を提供することを、解決すべき課題とする。
【課題を解決するための手段】
【００１４】
（第１発明の構成）
上記課題を解決するための本願第１発明は、ブラシ部、摘持式の把持部、櫛部、スライス棒を同一平面上に備える毛髪化粧料塗布具であって、
先端側から後端側へ向かって前記各部材を前記の順で直列に配設し、ブラシ部のブラシ毛を部材直列方向（Ｌ方向）の先端側方向（Ｌｆ方向）へ向けて植毛し、櫛部の櫛歯をＬ方向に対する略直角方向（Ｔ方向）へ向けて形成し、スライス棒をＬ方向の後端側方向（Ｌｒ方向）へ向けて突出させた、毛髪化粧料塗布具である。
【００１５】
（第２発明の構成）
上記課題を解決するための本願第２発明は、前記第１発明に係る毛髪化粧料塗布具が、櫛歯と他部材の位置関に関して次の（１）及び／又は（２）に該当する、毛髪化粧料塗布具である。
（１）前記スライス棒が前記櫛部の櫛歯の頂端と略同一の高さ位置にある。
（２）前記把持部が前記櫛部の櫛歯の頂端と略同一の高さ位置を超えない。
【００１６】
（第３発明の構成）
上記課題を解決するための本願第３発明は、前記第１発明又は第２発明に係る毛髪化粧料塗布具において、ブラシ部がブラシ毛を集束して植毛させた複数ないし多数のブラシ毛束を備え、各ブラシ毛束が短毛部と長毛部により形成される段差構造を備える、毛髪化粧料塗布具である。
【００１７】
（第４発明の構成）
上記課題を解決するための本願第４発明は、前記第１発明〜第３発明のいずれかに係る毛髪化粧料塗布具において、各部材を一体的に形成し、又は各部材の一部又は全部を別体に形成して組付け式に連結している、毛髪化粧料塗布具である。
【発明の効果】
【００１８】
（第１発明の効果）
第１発明の塗布具はブラシ部、把持部、櫛部、スライス棒を同一平面上に備える薄い板状の形態を有するので、毛髪化粧料の商品包装にコンパクトに収容できる。又、把持部が手で摘み持つ摘持式であって、手で握り持つための７〜１０ｃｍ程度の長さを要する握持式の把持部ではないため、各部材を直列に配設しても全体として過剰な長さにはならず、この意味でも毛髪化粧料の商品包装にコンパクトに収容できる。
【００１９】
次に、この塗布具ではＬｆ方向にブラシ毛を植毛し、これとは逆方向であるＬｒ方向にスライス棒を突出させ、これらとは略直角のＴ方向に櫛歯を形成している。そして把持部は摘持式であり、親指とこれに対向する人差し指、中指等を用いて手先で摘み持つ。従って、第１発明の塗布具は、これを摘まむ手先を基点として、同一平面上の互いに略直角な三方向に、ブラシと、櫛と、スライス棒がそれぞれ指向する状態で把持される。
【００２０】
そのため、自由度の大きな手首の屈曲動作を主体とし、これに一定限度内の手首の（腕ごとの）捩じり回転等の動作を加味することによりブラシ部、櫛部及びスライス棒に関する塗布具の多様な操作を容易に実行でき、優れた操作性が得られる。即ち第１発明の塗布具では、腕に対して手首を大きく回転動作させるような操作は要求されず、操作中に塗布具を持ち直す必要もなく、更に、塗布具の持ち方に関連して刷毛部と櫛部との使用を混同する恐れもない。
【００２１】
（第２発明の効果）
第２発明の塗布具は、（１）の構成に該当する場合、スライス棒が櫛歯の頂端と略同一の高さ位置にあるため、スライス棒でブロッキングを行った毛髪部分を、そのまま連続的に櫛部で梳くことができ、効率的である。従来の毛髪化粧料塗布具では、櫛部とスライス棒が離れた部位に形成される場合が多いので、そもそも、このような効果は着想されない。
【００２２】
また、（２）の構成に該当する場合、把持部が櫛部に対して食み出さないので、櫛部によって毛髪を梳く際、把持部が毛髪に当接しない。従って、染料成分やアルカリ剤等を含有し得る毛髪化粧料が把持部に付着し難く、ひいては使用者の手に付着し難い。
【００２３】
（第３発明の効果）
第３発明の塗布具は、ブラシ部の各ブラシ毛束が短毛部と長毛部の段差構造を備え、つまり毛束が太い部分と細くなる部分とを備えるので、毛髪の根本にも、毛束が細くなる部分によって毛髪化粧料を確実にたっぷりと塗布することができる。
【００２４】
（第４発明の効果）
第４発明の塗布具は、ブラシ部、把持部、櫛部、スライス棒の各部材を一体的に形成し、又は各部材の一部又は全部を別体に形成して組付け式に連結しているので、一体的に形成している場合には製造コスト面で有利であり、別体に形成して組付け式に連結している場合には組付け前の包装箱への収容に有利である。塗布具を繰返し使用する場合にも、非使用時に組付けを解けば、適宜な収納スペースへの収納に便利である。
【図面の簡単な説明】
【００２５】
【図１】図１（ａ）は実施例１に係る塗布具の正面図を示し、図１（ｂ）はそのＸ−Ｘ線断面図を示す。
【図２】実施例１に係る塗布具の使用時の右手での摘持状態を示す。
【図３】実施例１に係るブラシ部の詳細を示す。
【図４】実施例２に係る塗布具の要部の正面図を示す。
【符号の説明】
【００２６】
１            塗布具
２            ブラシ部
３            把持部
４            櫛部
５            スライス棒
６            植毛台座
７            ブラシ毛束
７ａ          短毛部
７ｂ          長毛部
８            突条
９            櫛歯
１０          フレーム
１０ａ        基底部
１０ｂ        先端側の立ち上げ部
１０ｃ        後端側の立ち上げ部
１１          右手
１２          塗布具
１３          把持部
１４          櫛部
１５          櫛歯
【発明を実施するための形態】
【００２７】
以下に本発明の実施形態をその最良の形態を含めて説明する。本発明の技術的範囲は、以下の実施形態によって限定されない。
【００２８】
〔毛髪化粧料塗布具〕
本発明の塗布具は、ブラシ部、摘持式の把持部、櫛部、スライス棒を備える。但し、本発明について前記「発明の効果」欄で述べた各種の効果を阻害しない限りにおいて、更に他の任意の部材を備えていてもよい。
【００２９】
本発明の塗布具を構成する上記の各部材は、一体的に形成されていても良いし、各部材の一部又は全部を別体に形成して組付け式に連結していても良い。このような組付け式には、組付けた後に当該組付けを解除できる着脱方式と、組付けを解除できない方式とが含まれる。部材の組付けのための連結部の構成は限定されず、例えば一方の部材に設けたネジと他方の部材に設けたネジ孔を螺合する構成、一方の部材から突出させたフックを他方の部材に設けたフック孔に着脱可能に嵌込させる構成、等の各種の連結機構を利用できる。
【００３０】
塗布具又はその各部材の構成材料は限定されず、例えばプラスチック製、金属製、木製等のものが可能であるが、コスト、成形性等の点からプラスチック製、特に溶融材料の型成形が容易な種類のプラスチック製が好ましい。ブラシ毛束のブラシ毛は型成形が困難であって、植毛が通常である。ブラシ毛として動／植物性の硬質繊維も使用できるが、コスト、加工性等の点からプラスチック製の繊維が好ましい。
【００３１】
次に本発明の塗布具は、ブラシ部、摘持式の把持部、櫛部、スライス棒の各部材を同一平面上に備える。「同一平面上に備える」とは、各部材が完全に同一平面に沿って位置し、あるいは、ほぼ同一平面に沿って位置することをいう。包装箱への収容性を考慮すると、上記の同一平面上において各部材を薄く形成していることが好ましく、具体的には最も厚い部分が２０ｍｍ以下、特に１５ｍｍであることが好ましい。
【００３２】
又、本発明の塗布具は、ブラシ部、摘持式の把持部、櫛部、スライス棒の各部材をその順で直列に配設したものである。「各部材を直列に配設する」とは、各部材が部材の直列方向であるＬ方向の仮想直線上に完全に完全に揃って配列し、あるいはほぼ完全に揃って配列していることをいう。従って、一部の部材がＬ方向の仮想直線からある程度（例えば１０〜１５ｍｍ程度）のズレを伴う位置に配列していても、「直列に配設」に該当する。
【００３３】
更に各部材を直列に配設した本発明の塗布具は、包装箱への収容性の点から、過剰に長いものは好ましくない。実際には包装箱のサイズとの関係もあるが、例えば、２５ｃｍ程度までのもの、特に２２ｃｍ程度までのものが好ましい。
【００３４】
〔ブラシ部〕
ブラシ部は部材直列方向であるＬ方向の先端に位置し、かつ、Ｌ方向の先端側方向（Ｌｆ方向）へ向けてブラシ毛を植毛している。植毛の方向がＬ方向に対して例えば１０°程度の角度までズレていても構わない。ブラシ部は、ブラシ毛を集束して植毛させた複数ないし多数のブラシ毛束を備える。これらのブラシ毛束は、好ましくは２〜６ｍｍ程度の太さを持ち、かつ数ｍｍ程度の相互間隔を以て規則的に配列することが好ましい。配列の形態として正方配列や、いわゆる千鳥状配列を例示できる。
【００３５】
ブラシ毛束は、例えば、８〜３０ｍｍ程度の範囲内で毛足の長さを揃えたブラシ毛により構成しても良く、８〜３０ｍｍ程度の範囲内で毛足の長さをランダムにバラ付かせたブラシ毛により構成しても良い。しかし好ましくは、短いブラシ毛を揃えて植毛した短毛部と、毛足の長いブラシ毛を揃えて植毛した長毛部により形成される段差構造を備える。この段差構造を備える場合に、長毛部の毛足の長さは８〜３０ｍｍ程度の範囲内とし、短毛部の毛足の長さはそれより数ｍｍ程度短くする。
【００３６】
ブラシ部における段差構造の形成方向は限定されず、例えばブラシ毛束の中央部を長毛部としてその周囲を短毛部が取り囲む形態でも良く、ブラシ毛束の任意方向の半分の部分を長毛部とし他の半分の部分を短毛部としても良い。
【００３７】
〔摘持式の把持部〕
把持部は直列に配設した各部材においてブラシ部と櫛部の間に位置し、摘持式の把持部として構成されるため、握持式の把持部のような７〜１０ｃｍに達する長さを要しない。具体的にはＬ方向に５ｃｍ程度の長さがあれば十分である。但し、この把持部をあえて握り持つことで毛髪化粧料の塗布操作を行うことを妨げない。
【００３８】
把持部は基本的に薄板状に形成されるが、容易・確実な摘持を行うために、Ｌ方向にも、これに対する直角方向にも、３〜５ｃｍ程度の広さを持つことが好ましい。また、薄板状の把持部の表・裏面に適宜なパターンで滑り止め用の凹凸形状を形成することも好ましい。把持部を構成する薄板の周縁部に対して内側部分を相対的により薄く形成し、この内側部分に上記の突条を形成することも好ましい。
次に述べる櫛部との関係において、把持部のＴ方向の広さは、櫛部の櫛歯の頂端よりも高い位置に達しても構わないが、前記「第２発明の効果」の欄で述べた理由により、櫛歯の頂端と略同一の高さ位置に止まり、又はそれよりも低い高さ位置に止まることが好ましい。
【００３９】
ここに「略同一の高さ位置」とは、例えば、同一の高さ位置から高低差が数ｍｍ程度の範囲内の高さ位置をいう。この高さ位置の範囲は、「第２発明の効果」の欄で前記したように、「毛髪化粧料が把持部又は使用者の手に付着し難い」という効果を得るための構成であり、塗布具の使用者の熟練度や注意度にも関係するものであるから、「正確に同一の高さ位置」に限定すべき理由もないし、「略同一の高さ位置」の範囲を一律に数値限定することも困難である。
【００４０】
〔櫛部〕
櫛部は直列に配設した各部材において把持部とスライス棒の間に位置し、Ｌ方向に対する略直角方向（Ｔ方向）へ向けて突出する複数ないし多数の櫛歯を備えている。
【００４１】
ここに「略直角方向」とは、例えば、正確な直角方向から前後１５°程度の角度の幅を持つ範囲（即ち、７５°〜１０５°の角度範囲内の方向）をいう。この角度範囲は、「第１発明の効果」の欄で前記したように自由度の大きな手首の屈曲動作との関係で規定され、個人差を伴うものであるから、「正確に直角方向」に限定すべき理由もないし、「略直角方向」の角度範囲を一律に数値限定することも困難である。
櫛部の櫛歯は、一定の相互間隔を以て正方配列やいわゆる千鳥状配列により規則的に配列することが好ましい。
【００４２】
櫛部における櫛歯を形成した部分の幅（Ｌ方向の長さ）は限定されないが、例えば４０〜１２０ｍｍ程度の範囲内とすることが好ましい。この幅が過剰に大きいと、包装箱への収容性に問題が出る恐れがある。この幅が過剰に小さいと、毛髪を梳く作業に支障が出る恐れがある。
櫛歯の高さは限定されないが、例えば１０〜２０ｍｍ程度の範囲内とすることが好ましい。
【００４３】
〔スライス棒〕
スライス棒は部材直列方向であるＬ方向の後端に位置し、上記の櫛部の後端からＬ方向の後端側方向（Ｌｒ方向）へ向けて突出している先細り形状の棒状部材である。スライス棒の長さは限定されないが、例えば３０〜６０ｍｍ程度の範囲内とすることが好ましい。
櫛部の後端からのスライス棒の突出部位は限定されないが、前記「第２発明の効果」の欄で述べた理由により、櫛部の櫛歯の頂端と略同一の高さ位置からＬｒ方向へ向けて突出していることが好ましい。
【００４４】
ここに「略同一の高さ位置」とは、例えば、同一の高さ位置から高低差が数ｍｍ程度の範囲内の高さ位置をいう。この高さ位置の範囲は、「第２発明の効果」の欄で前記したように、「スライス棒でブロッキングを行った毛髪部分を、そのまま連続的に櫛部で梳くことができる」という効果を得るための構成であり、塗布具の使用者の熟練度にも関係するものであるから、「正確に同一の高さ位置」に限定すべき理由もないし、「略同一の高さ位置」の範囲を一律に数値限定することも困難である。
【実施例】
【００４５】
以下に本発明の実施例を図面を参照しつつ説明する。本発明の技術的範囲は以下の実施例によって限定されない。
【００４６】
〔実施例１〕
図１（ａ）に示すように、本実施例の塗布具１はプラスチックの一体成形品であって、図の左側である先端側から図の右側である後端側へ向かって順に、ブラシ部２、把持部３、櫛部４、スライス棒５の各部材を直列の状態で備えている。ブラシ部２の植毛台座６にはブラシ毛束７，７・・・を植毛している。
【００４７】
ブラシ部２の先端からスライス棒５の後端までの全長は約２２．５ｃｍ、であり、横幅は、最も広いブラシ部２及び把持部３において約４ｃｍである。
【００４８】
図１（ｂ）から分かるように、塗布具１の各部材は同一平面上において薄板状に形成され、ブラシ部２以外の各部材の厚さは約４ｍｍであるが、ブラシ部２の植毛台座６は幾分厚くて、約９ｍｍである。植毛台座６を把持部３よりも相対的に厚く形成することにより、ブラシ毛束７，７・・・に載せた毛髪化粧料が塗布具１の把持部３を摘持する指に付着し難くなる。
【００４９】
ブラシ部２には、図１（ａ）及び図１（ｂ）から理解されるように、２列のブラシ毛束７，７・・・が正方配列により植毛されている。ブラシ毛束７は、図示の便宜上、毛束の外形のみで表現しているが、図３に示すように、実際には個々のブラシ毛束７は多数のブラシ毛の集合体であり、かつ、毛足の長さが１８ｍｍの長毛部７ｂと、毛足の長さが１４ｍｍの短毛部７ａにより形成される段差構造を備える。
【００５０】
ブラシ部２と櫛部４の間に位置する把持部３は、摘持式（手の指で摘み持つ方式）として構成されているため、横幅が前記のように約４ｃｍ、長さが６ｃｍ弱であって、握持式（手で握り持つ方式）の塗布具に要求される長さを備えていない。
薄板状の把持部３においては、その周縁部よりも、内側部分を相対的に更に薄く形成しており、この内側部分において、屈曲したパターン形状を持つ複数の突条８，８・・・（図では太い実線で示す）を形成している。この突条８，８・・・により、把持部３を摘み持つ手指が滑り難くなる。
【００５１】
櫛部４において、内側に櫛歯９，９・・・を形成したフレーム１０におけるＬ方向の基底部１０ａは約８ｃｍの長さを持ち、フレーム１０の先端側の立上げ部１０ｂは把持部３の後端側の端部と一体化し、後端側の立上げ部１０ｃからはスライス棒５を突出させている。フレーム１０の基底部１０ａからは多数の櫛歯９，９・・・を、Ｌ方向に対する直角方向（図１（ａ）の上方）へ突出させている。
【００５２】
櫛歯９，９・・・は、図１（ｂ）から分かるように千鳥状に配列されており、太さは約２ｍｍであり、フレーム１０における基底部１０ａからの高さは１５ｍｍである。フレーム１０における前記先端側の立上げ部１０ｂ及び後端側の立上げ部１０ｃの基底部１０ａからの高さも、同じく１５ｍｍである。従って、櫛部４の立上げ部１０ｂ及び１０ｃと櫛歯９，９・・・の高さは揃っている。
【００５３】
上記のようにフレーム１０の後端側の立上げ部１０ｃからはスライス棒５を突出させている。スライス棒５の突出方向はＬ方向と平行であり、突出部位は櫛部４の立上げ部１０ｂ及び１０ｃと櫛歯９，９・・・の高さとほぼ同じ高さ位置である。
【００５４】
次に、本実施例に係る塗布具１の使用状態を説明する。図２には、使用時において右利きの使用者が右手１１の親指と、人指し指及び中指とで塗布具１を摘持した状態の一例を示す。
この状態において塗布具１を摘まむ右手１１の手先を基点として、同一平面上の互いに略直角な三方向に、ブラシ２と、櫛４と、スライス棒５がそれぞれ指向する状態で摘持される。
【００５５】
そのため、自由度の大きな手首の前後方向への屈曲動作を主体とし、これに一定限度内の手首の（腕ごとの）捩じり回転等の動作を加味することによりブラシ部、櫛部及びスライス棒に関する塗布具の多様な操作を容易に実行することができ、優れた操作性が得られる。手で握持する方式の塗布具では、このように優れた操作性は得られない。又、仮に手で摘持する方式の塗布具があったとしても、本実施例のような構成を備えない場合には、上記の優れた操作性は得られない。
【００５６】
〔実施例２〕
図４に示す実施例２の塗布具１２は、第２発明の（２）として前記したように、把持部１３が櫛部１４の櫛歯１５の頂端と略同一の高さ位置を超えないという構成が実施例１と異なる。実施例２によれば、把持部１３が櫛部１４に対して食み出さないので、櫛部１４によって毛髪を梳く際、把持部１３が毛髪に当接しない。従って、染料成分やアルカリ剤等を含有し得る毛髪化粧料が把持部１３に付着し難く、ひいては使用者の手に付着し難い。
【産業上の利用可能性】
【００５７】
本発明によれば、使用者の手首の可動性を有効に利用することで優れた操作性が得られ、操作中に毛髪化粧料が手に付着し難いセルフ用の毛髪化粧料塗布具が提供される。
【図１】
0006608222.tif 000002
【図２】
0006608222.tif 000003
【図３】
0006608222.tif 000004
【図４】
0006608222.tif 000005